【手続補正書】
【提出日】平成18年1月23日(2006.1.23)
【手続補正１】
【補正対象書類名】特許請求の範囲
【補正対象項目名】全文
【補正方法】変更
【補正の内容】
【特許請求の範囲】
【請求項１】
バイオ磁気検定を行うための光磁気バイオディスクであって、
中心および外縁を有する基板と、
該基板に関連した光磁気スタック、および、
前記基板上に設けられた一つまたは複数の磁区であって、生体磁気粒子を結合または解放する磁区
を含む、
光磁気バイオディスク。
【請求項２】
前記生体磁気粒子は常磁性ビーズであり、結合剤に付着している、請求項１に記載の光磁気バイオディスク。
【請求項３】
前記結合剤は、抗原、抗体、リガンド、受容体、ビオチン、ストレプトアビジン、ＤＮＡ断片、およびＲＮＡ断片を含む群から選択される、
請求項２に記載の光磁気バイオディスク。
【請求項４】
前記一つまたは複数の磁区は、光磁気ディスクドライブを用いて、前記基板の前記中心および外縁の間に選択的に形成される、
請求項１に記載の光磁気バイオディスク。
【請求項５】
前記一つまたは複数の磁区は、前記光磁気ディスクドライブを用いて、選択的に消去される、
請求項４に記載の光磁気バイオディスク。
【請求項６】
前記一つまたは複数の磁区は、形成および消去され、それにより前記磁気粒子は選択的に結合および放出される、
請求項４または５に記載の光磁気バイオディスク。
【請求項７】
前記光磁気ディスクは、前記磁区にある特徴物を読み出しおよび検出するのに用いられ
る、
請求項６記載の光磁気バイオディスク。
【請求項８】
前記基板に関連する流路層であって、該流路層は流体回路を形成する切り取り部位を有する、流路層をさらに含む、
請求項７に記載の光磁気バイオディスク。
【請求項９】
前記流路層と関連するキャップ部をさらに含む、
請求項８に記載の光磁気バイオディスク。
【請求項１０】
前記流体回路は、注入ポート、混合チャンバ、分離チャンバ、一つまたは複数の試験チャンバ、および排出ポートを含み、これらはすべてがお互いに流体連通する、
請求項９に記載の光磁気バイオディスク。
【請求項１１】
前記一つまたは複数の試験チャンバは、試験剤を含む試験溶液があらかじめロードされている、
請求項１０に記載の光磁気バイオディスク。
【請求項１２】
請求項１１に記載の光磁気バイオディスクを用いて、薬物感受性に関し、標的細胞を検出、定量、および試験する方法であって、
細胞のサンプルを用意し、
前記サンプルを前記注入ポートから前記混合チャンバにロードし、
サンプル中の標的細胞の表面の表面マーカーに特異的な結合剤に結合した、生体磁気粒子を用意し、
前記生体磁気粒子を混合チャンバにロードし、
結合剤がサンプル中の標的細胞上の表面マーカーと結合し、標識細胞を形成するのに十分な時間、前記サンプルおよび生体磁気粒子を培養し、
前記光磁気バイオディスクを前記光磁気ディスクドライブにロードし、
前記分離チャンバ内のあらかじめ決められた位置に磁区を形成し、
前記光磁気バイオディスクを回転させ、前記サンプルおよび生体磁気粒子を前記分離チャンバに移動させ、
前記生体磁気粒子および標識細胞を、前記分離チャンバ内の前記磁気区に結合させ、そして
前記分離チャンバを電磁放射ビームで走査し、磁区は標識細胞を含むか決定する、
方法。
【請求項１３】
請求項１２に記載の方法であって、
前記磁区に結合した標識細胞の数を定量し、
標識細胞が結合した前記磁区を選択的に消去し、選択的に該標識細胞を放出し、
前記一つまたは複数の試験チャンバにあらかじめ決められた数の標識細胞を移動するために前記磁区を続けて消去および形成し、前記標識細胞を前記一つまたは複数の試験チャンバに磁気的に導き、
前記標識細胞を前記試験剤と共に培養し、そして、
前記試験チャンバを電磁放射ビームで走査し、生細胞およびアポトーシス細胞の数を決定し、それにより前記試験剤に対する細胞の感受性を決定する
ステップをさらに含む、方法。
【請求項１４】
請求項９に記載の光磁気ディスクを用いて、前記流体回路において、生物マトリックス中で神経回路網を形成する方法であって、
前記流体回路において前記生物マトリックスを形成し、
樹状突起および軸索を有する神経を前記生物マトリックスに用意し、前記神経は磁気粒子を組み込まれ、
前記光磁気バイオディスクを前記光磁気ディスクドライブにロードし、
前記流体回路において磁区を書き込みおよび消去し、前記神経の前記樹状突起および軸索をお互いに向かって成長させ、そして
前記樹状突起および軸索を介して前記神経の間で相互作用を可能にし、それにより前記磁区により磁気的に制御される前記神経回路網を形成する、
ステップを含む、方法。
【請求項１５】
光磁気バイオディスク検定に用いる光磁気バイオディスクシステムであって、
光磁気スタックを有する基板、および、
光磁気粒子を結合および放出するために採用され、前記基板に設けられた、一つまたは複数の磁区
を含む、光磁気バイオディスク、および
光をディスクに向ける光源であって、前記一つまたは複数の磁区を形成または消去するのにさらに用いられる前記光源、および
ディスクから反射した光またはディスクを通過した光を検出し、信号を発する、検出器
を含む、光磁気ディスクドライブ
を含む、システム。
【請求項１６】
前記一つまたは複数の磁区に結合したものを計数するのに前記信号を利用するプロセッサをさらに含む、請求項１５に記載の光磁気バイオディスクシステム。
【請求項１７】
光磁気バイオディスクを製造する方法であって、
中心、外縁、および一つまたは複数の光磁気スタックを有する基板を用意し、
前記中心および外縁の間には、一つまたは複数の磁区を形成し、そして、
前記一つまたは複数の磁区と流体連通する分析チャンバを形成する
ステップ、を含む方法。
【請求項１８】
混合チャンバと前記分析チャンバとの流体連通を形成するステップをさらに含む、請求項１７記載の方法。
【請求項１９】
生物マトリックスを前記分析チャンバに形成するステップをさらに含む、請求項１７記載の方法。
【請求項２０】
前記混合チャンバに複数の生体磁気粒子を堆積させ、前記生体磁気粒子の各々は結合剤を含む、
ステップをさらに含む、
請求項１８に記載の方法。
【請求項２１】
前記混合チャンバと関連する注入サイトを指定し、該注入サイトは、任意の標的細胞の存在を試験するための細胞のサンプルの受け入れを行う、
ステップをさらに含む、
請求項２０記載の方法。
【請求項２２】
基板に関連した情報層に情報をコードし、このコードされた情報は、ディスクの回転を制御するのにディスクドライブアセンブリにより読み取り可能である、
ステップをさらに含む、請求項１９または２１のいずれか一項に記載の方法。
【請求項２３】
前記分析チャンバと流体連通する試験チャンバを形成するステップをさらに含む、請求項２２記載の方法。
【請求項２４】
前記試験チャンバを試験剤で満たすステップをさらに含む、請求項２３記載の方法。
【請求項２５】
請求項１７に記載の方法により製造された光磁気バイオディスク。
【請求項２６】
請求項１９記載の方法により製造された光磁気バイオディスクを用いて、前記流体回路の生物マトリックスに神経回路網を形成する方法であって、
前記生物マトリックスに樹状突起および軸索を有する神経を用意し、
磁気粒子を前記神経に取り込み、
前記光磁気バイオディスクを光磁気ディスクドライブにロードし、
前記神経の前記樹状細胞および軸索をお互いに向かって成長させるために、前記分析チャンバ内に一つまたは複数の磁区を消去および形成し、そして
前記樹状細胞および軸索を介して前記神経間で相互作用を可能にし、それにより前記磁区により磁気的に制御された前記神経回路網を形成する、
ステップを含む、
方法。
【請求項２７】
請求項２６に記載の方法により形成された神経回路網。
【請求項２８】
請求項２４記載の方法により製造された光磁気バイオディスクを用いて、薬物感受性に関し、前記細胞のサンプル中の任意の標的細胞を検出、定量、および試験する方法であって、
前記サンプルを前記注入サイトから前記混合チャンバにロードし、
結合剤がサンプル中の標的細胞上の表面マーカーと結合し、標識細胞を形成するのに十分な時間、前記サンプルおよび生体磁気粒子を培養し、
前記光磁気バイオディスクを前記光磁気ディスクドライブにロードし、
前記分析チャンバ内のあらかじめ決められた位置に磁区を形成し、
前記光磁気バイオディスクを回転させ、前記サンプルおよび生体磁気粒子を前記分析チャンバに移動させ、
前記生体磁気粒子および標識細胞を、前記分析チャンバ内の前記磁気区に結合させ、そして、
前記分析チャンバを電磁放射ビームで走査し、磁区は標識細胞を含むか決定する、
ステップを含む、
方法。
【請求項２９】
請求項２８記載の方法であって、
前記磁区が含む標識細胞の数を定量し、
標識細胞が結合した前記磁区を選択的に消去し、選択的に該標識細胞を放出し、
前記試験チャンバにあらかじめ決められた数の標識細胞を移動するために前記磁区を続けて消去および形成し、前記標識細胞を前記試験チャンバに磁気的に導き、
前記標識細胞を前記試験剤と培養し、そして、
前記試験チャンバを電磁放射ビームで走査し、生細胞およびアポトーシス細胞の数を決定し、それにより前記試験剤に対する細胞の薬物感受性を決定する、
ステップをさらに含む、方法。